(57)【要約】【課題】  複雑な構造の緩急針を必要としないで、「ひげぜんまい」の外周部の有効長さを容易に調節できるような緩急機構を備えた機械式時計を提供する。【解決手段】  本発明の機械式時計では、てんぷ７０は、てん真７１と、ひげぜんまい４７４と、てん輪７９とを含む。ひげぜんまい４７４の有効長さを定めて、ひげぜんまい４７４の外端部を固定するための複数のひげ外端固定部４７５ａ〜４７５ｆが、ひげぜんまい４７４の外周部４７４ｇに等しい角度間隔で設けられる。ひげ外端固定部４７５ａ〜４７５ｆを位置決めするためのひげ外端位置決め部４７６が、てんぷ受７２に設けられる。外端固定ピンのうちの１つのピンをひげ外端位置決め部４７６に配置することによって、ひげぜんまい４７４の有効長さを調整することができる。【選択図】      図１
2006214822.tif 000002
【特許請求の範囲】
【請求項１】
ムーブメント（２０）の基板を構成する地板（２２）と、時刻情報を表示するための表示車（２４、４０、８０）と、ぜんまいを有しかつ前記表示車（２４、４０、８０）を回転させるように回転する香箱車（３０）と、前記表示車（２４、４０、８０）の回転速度を制御するためのがんぎ車（５０）、アンクル（６０）、てんぷ（７０）を含む脱進調速機構とを有する機械式時計であって、
てんぷ（７０）は、てん真（７１）と、ひげぜんまい（４７４、４８４）と、てん輪（７９）とを含み、
てん輪（７９）の中心部は、てん真（７１）に固定され、
ひげぜんまい（４７４：４８４）の内端部は、てん真（７１）に固定され、
ひげぜんまい（４７４：４８４）の有効長さを定めて、ひげぜんまい（４７４：４８４）の外端部を固定するための複数のひげ外端固定部（４７５ａ〜４７５ｆ：４８５ａ〜４８５ｆ）が、ひげぜんまい（４７４：４８４）の外周部（４７４ｇ：４８４ｇ）に設けられ、
前記ひげ外端固定部（４７５ａ〜４７５ｆ：４８５ａ〜４８５ｆ）を位置決めするためのひげ外端位置決め部（４７６：４８６、４８７）が、受部材（７２）に設けられる、
ことを特徴とする機械式時計。
【請求項２】
前記ひげ外端固定部（４７５ａ〜４７５ｆ）は、ひげぜんまい（４７４）の外周部（４７４ｇ）に固定された複数のピンであることを特徴とする、請求項１に記載の機械式時計。
【請求項３】
ひげ外端位置決め部（４７６）は弾性材料で形成され、ひげ外端位置決め部（４７６）は、弾性変形可能な形状に形成された２つのピン受け部（４７６ａ、４７６ｂ）を含み、外端固定ピン（４７５ａ〜４７５ｆ）を２つのピン受け部（４７６ａ、４７６ｂ）の間に位置決めして保持することができるように構成されたことを特徴とする、請求項２に記載の機械式時計。
【請求項４】
前記ひげ外端固定部（４８５ａ〜４８５ｆ）は、ひげぜんまい（４８４）の外周部（４８４ｇ）に形成された複数の突状部であることを特徴とする、請求項１に記載の機械式時計。
【請求項５】
前記ひげ外端位置決め部（４８６、４８７）は、前記突状部のうちの１つと接触することができるように配置された保持用弾性部材及び保持用剛体部材であり、前記突状部のうちの１つは、前記保持用弾性部材と前記保持用剛体部材との間に位置決めされることを特徴とする、請求項４に記載の機械式時計。
【請求項６】
前記突状部は曲げ加工によって形成されるようになっており、前記保持用弾性部材は曲げ加工によって形成されるようになっていることを特徴とする、請求項５に記載の機械式時計。
【発明の詳細な説明】
【技術分野】
【０００１】
本発明は、一般的には、緩急可能なひげぜんまいを含む機械式時計に関する。特に、本発明は、てんぷに含まれる「ひげぜんまい」の外周部の有効長さを複数の段階に調節できるように構成した機械式時計に関する。
【背景技術】
【０００２】
従来の機械式時計において、広く知られている代表的な緩急機構では、てんぷに含まれる「ひげぜんまい」の外周部が、緩急針に取り付けられた「ひげ棒」に接触することによって、「ひげぜんまい」の有効長さを変えて、時計の歩度（１日あたりの時計の進み又は遅れの程度）を変化させている（特許文献１の図１、図２を参照）。さらに、従来の改良された緩急機構では、レーザ装置を用いて、「ひげぜんまい」の外周部の表面の一部にレーザビームを照射して、表面の一部の厚さが薄くなるように加工して、１個又は複数の凹部を形成している（特許文献１の図３〜図７を参照）。
【０００３】
【特許文献１】米国特許第６、５３４、７４２Ｂ２明細書
【発明の開示】
【発明が解決しようとする課題】
【０００４】
しかしながら、従来の代表的な緩急機構では、てんぷの振り角の変化や、時計の携帯される姿勢の変化により、「ひげぜんまい」の外周部が「ひげ棒」に接触する場合もあれば、「ひげぜんまい」の外周部が「ひげ棒」に接触しない場合もある。また、「ひげぜんまい」の外周部が「ひげ棒」に接触するため、「ひげぜんまい」が伸び縮みするときに、「ひげぜんまい」の中心部を基準にして「ひげぜんまい」が伸び縮みしないで、「ひげぜんまい」の中心部から偏心した位置を基準にして「ひげぜんまい」が伸び縮みすることがあった。したがって、従来の代表的な緩急機構を使用すると、時計の歩度が不安定になるという課題があった。さらに、従来の代表的な緩急機構では、時計の歩度を調整するために、てんぷ受に対して回転可能に設けられた緩急針体に「ひげ棒」を設けることが必要であった。
【０００５】
また、従来の改良された緩急機構では、レーザ装置を用いて、「ひげぜんまい」の外周部の一部を精密に加工して凹部を形成している。したがって、レーザ装置を用いて加工すべき「ひげぜんまい」の外周部の位置、加工すべき凹部の形状、形成される凹部の厚さなどを正確に管理するために、レーザビームの直径、照射位置、移動方向、移動速度、照射時間などを高精度で制御することが必要であった。
【０００６】
本発明の目的は、複雑な構造の緩急針を必要としないで、「ひげぜんまい」の外周部の有効長さを複数の段階に調節できるように構成した機械式時計を提供することにある。
本発明の他の目的は、「ひげ棒」を用いていないで、確実かつ容易に時計の歩度を安定させることができるような緩急機構を備えた機械式時計を提供することにある。
【課題を解決するための手段】
【０００７】
本発明は、ムーブメントの基板を構成する地板と、時刻情報を表示するための表示車と、ぜんまいを有しかつ前記表示車を回転させるように回転する香箱車と、表示車の回転速度を制御するためのがんぎ車、アンクル、てんぷを含む脱進調速機構とを有する機械式時計であって、てんぷは、てん真と、ひげぜんまいと、てん輪とを含み、てん輪の中心部は、てん真に固定され、ひげぜんまいの内端部は、てん真に固定されている。この本発明機械式時計では、ひげぜんまいの有効長さを定めて、ひげぜんまいの外端部を固定するための複数のひげ外端固定部が、ひげぜんまいの外周部に設けられ、ひげ外端固定部を位置決めするためのひげ外端位置決め部が、受部材に設けられている。この構成により、複雑な構造の緩急針を必要とせず、ひげぜんまいの外周部の有効長さを複数の段階に容易に調節することができる。
【０００８】
本発明機械式時計では、ひげ外端固定部は、ひげぜんまいの外周部に固定された複数のピンで構成することができる。本発明機械式時計では、ひげ外端位置決め部は弾性材料で形成され、ひげ外端位置決め部は、弾性変形可能な形状に形成された２つのピン受け部を含み、外端固定ピンを２つのピン受け部の間に位置決めして保持することができるように構成することができる。この構成により、外端固定ピンを弾性変形可能な２つのピン受け部の間に弾性力を加えながら確実に位置決めして保持することができる。
【０００９】
本発明機械式時計では、前記ひげ外端固定部は、ひげぜんまいの外周部に形成された複数の突状部であるように構成することができる。本発明機械式時計では、ひげ外端位置決め部は、突状部のうちの１つと接触することができるように配置された保持用弾性部材及び保持用剛体部材であり、突状部のうちの１つは、保持用弾性部材と保持用剛体部材との間に位置決めされるように構成することができる。この構成により、突状部のうちの１つを、弾性力を加えながら確実に位置決めして保持することができる。本発明機械式時計では、突状部は曲げ加工によって形成されるようになっており、保持用弾性部材は曲げ加工によって形成されるようになっているのがよい。この構成により、突状部と保持用弾性部材は、迅速かつ容易にプレスラインを用いて加工することができる。
【発明の効果】
【００１０】
本発明は、緩急機構を備えた機械式時計において上記の構造としたので、複雑な構造の緩急針を必要とせず、「ひげぜんまい」の外周部の有効長さを複数の段階に容易に調節することができる。また、本発明の機械式時計は、「ひげ棒」を用いていないので、確実かつ容易に時計の歩度を安定させることができる。
【発明を実施するための最良の形態】
【００１１】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。本発明の機械式時計は、裏蓋の無い外装構造に用いることもできる。従って、本発明は、機械式時計の外装構造を、裏蓋を有するものに限定することを意図するものではない。
【００１２】
（１）第１の実施の形態：
以下に、本発明の第１の実施の形態を図面に基づいて説明する。
（１・１）表輪列の構造：
図４〜図６を参照すると、本発明の機械式時計は、ムーブメント２０の基板を構成する地板２２を備える。以下に説明する本発明の実施の形態では、地板２２の外形形状は、ほぼ円形である。なお、地板２２の外形形状は四角形、多角形、長円形等の他の形状であってもよい。本発明の実施の形態では、香箱車、二番車、三番車、四番車等の表輪列、回転錘、つめレバー等の自動巻機構、おしどり、かんぬき等の切換機構は、それぞれムーブメント２０の文字板側と反対側、すなわち、表側に組み込まれる。
【００１３】
二番車２４が地板２２のほぼ中心に回転可能に組み込まれる。二番車２４は地板２２と二番受２６との間に組み込まれる。筒かな２８が二番車２４の針取付け部に近い方の先端に隣接した外周部分にスリップ可能に、地板２２の文字板側に組み込まれる。筒かな２８は二番車２４と一体に回転する。香箱車３０が地板２２と一番受３２との間に回転可能に組み込まれる。香箱車３０の香箱歯車は二番車２４の二番かなに噛み合う。三番車３４が地板２２と一番受３２との間に回転可能に組み込まれる。二番車２４の二番歯車は三番かなに噛み合うように構成されている。四番車４０が二番受２６と一番受３２との間に回転可能に組み込まれる。三番車３４の三番歯車は四番車４０の四番かなに噛み合うように構成されている。がんぎ車５０が地板２２と一番受３２との間に回転可能に組み込まれる。四番車４０の四番歯車はがんぎ車５０のがんぎかなに噛み合うように構成されている。
【００１４】
秒を表示するために作動する四番車４０の回転中心は、二番車２４の回転中心３００と同一である。すなわち、本発明の機械式時計の実施の形態は、中三針腕時計を示す。四番車４０の回転中心は、二番車２４の回転中心３００と別個の位置にあってもよい。三番車３４が二番車２４の回転を四番車４０に伝達させる。ここで、輪列の数は上記のものだけに制限されず、更に、１つ以上の伝達車を追加してもよい。
【００１５】
（１・２）脱進調速機構の構造：
図４〜図６を参照すると、アンクル６０が地板２２とアンクル受６２との間に揺動可能に組み込まれる。アンクル６０は２つの爪石６３及びけん先６４を有する。がんぎ車５０のがんぎ歯車は爪石６３と係合する。てんぷ７０が地板２２とてんぷ受７２との間に回転可能に組み込まれる。図１及び図６を参照すると、てんぷ７０は、てん真７１と、ひげぜんまい４７４と、振り石７６と、ひげ玉７８と、てん輪７９とを含む。アンクル６０のけん先６４は振り石７６と係合するように構成される。てん輪７９の中心部は、てん真７１に固定される。ひげぜんまい４７４の内端部は、てん真７１に固定されたひげ玉７８に固定される。
【００１６】
ひげぜんまい４７４の有効長さを定めて、ひげぜんまい４７４の外端部を固定するための複数のひげ外端固定部が、ひげぜんまい４７４の外周部４７４ｇに設けられる。ひげ外端固定部は、ひげぜんまい４７４の外周部４７４ｇに固定された複数の外端固定ピン４７５ａ〜４７５ｆで構成される。それぞれの外端固定ピン４７５ａ〜４７５ｆは、円柱状に形成される。ひげぜんまい４７４の外周部４７４ｇの一部を配置して固定するためのスリットが、それぞれの外端固定ピン４７５ａ〜４７５ｆの下端部に形成される。それぞれの外端固定ピン４７５ａ〜４７５ｆは、等しい間隔でひげぜんまい４７４の外周部４７４ｇに固定されるのが好ましい。複数の外端固定ピン４７５ａ〜４７５ｆは、ひげぜんまい４７４の外周部４７４ｇにおいて、てん真７１の中心軸線を基準として開角５０度〜１２０度の範囲内に、等しい角度間隔、すなわち、１０度〜２４度の角度間隔をなすように配置されるのが好ましい。この構成により、ひげぜんまい４７４の有効長さを効果的に調整することができる。それぞれの外端固定ピン４７５ａ〜４７５ｆは、接着、溶接、嵌め込み、熱圧着、はんだ付け等の方法によって、ひげぜんまい４７４の外周部４７４ｇに固定することができる。それぞれの外端固定ピン４７５ａ〜４７５ｆの中心軸線は、てん真７１の中心軸線と平行になるように構成されるのが好ましい。円錐状の突起部が、それぞれの外端固定ピン４７５ａ〜４７５ｆの上端部に形成される。
【００１７】
図１には６個のひげ外端固定部すなわち外端固定ピン４７５ａ〜４７５ｆを図示しているけれども、ひげ外端固定部の個数は、２個〜１２個であるのが好ましい。この構成により、ひげぜんまい４７４の有効長さを広い範囲に調整することができる。ひげ外端固定部の個数は、４個〜８個であるのが一層好ましい。この構成により、ひげぜんまい４７４の外周部４７４ｇと複数のひげ外端固定部４７５ａ〜４７５ｆとの占める領域を大きくすることなしに、ひげぜんまい４７４の有効長さを広い範囲に調整することができる。外端固定ピン４７５ａ〜４７５ｆは、ポリアセタールなどのエンジニアリングプラスチックで形成することもできるし、或いは、黄銅、炭素鋼などの金属で形成することもできる。
【００１８】
外端固定ピン４７５ａ〜４７５ｆを位置決めするためのひげ外端位置決め部が、受部材すなわちてんぷ受７２に設けられる。ひげ外端位置決め部は、ひげ外端受４７６で構成される。ひげ外端受４７６は、フォーク状に形成された２つのピン受け部４７６ａ、４７６ｂを含む。ピン受け部４７６ａとピン受け部４７６ｂとの間の間隔は、外端固定ピン４７５ａ〜４７５ｆの円筒状外周部を配置することができるように定められる。外端固定ピン４７５ａ〜４７５ｆのうちの１つのピンの円筒状外周部は、ピン受け部４７６ａとピン受け部４７６ｂとの間に配置されるようになっている。ひげ外端受４７６は、ポリカーボネートなどのエンジニアリングプラスチックで形成することもできるし、或いは、りん青銅、黄銅、ステンレス鋼などの金属で形成することもできる。ひげ外端受４７６をりん青銅、ステンレス鋼などの弾性材料で形成し、フォーク状のピン受け部４７６ａ、４７６ｂを弾性変形可能な形状に形成することもできる。この構成により、外端固定ピン４７５ａ〜４７５ｆを弾性変形可能なピン受け部４７６ａと、ピン受け部４７６ｂとの間に弾性力を加えながら確実に位置決めして保持することができる。
【００１９】
ひげぜんまい４７４は、「エリンバー」などの弾性材料の合金で形成される。例えば、ひげぜんまい４７４の厚さは、０．０３ｍｍであり、ひげぜんまい４７４の高さ（てん真７１の軸線方向にそう寸法）は、０．１５ｍｍである。例えば、外端固定ピン４７５ａ〜４７５ｆの直径は、０．２ｍｍ〜１ｍｍであるのが好ましい。外端固定ピン４７５ａをピン受け部４７６ａとピン受け部４７６ｂとの間に配置することによって、ひげぜんまい４７４の有効長さが一番短くなるように調整することができる。外端固定ピン４７５ｆをピン受け部４７６ａとピン受け部４７６ｂとの間に配置することによって、ひげぜんまい４７４の有効長さが一番長くなるように調整することができる。この構成により、ひげぜんまい４７４の有効長さを広い範囲に確実に調整することができる。図１に示す状態で、ひげぜんまい４７４を含むてんぷを時計に組んで時計の歩度を測定して、その測定結果に応じて、複数の外端固定ピン４７５ａ〜４７５ｆのうちの必要な１つのピンをピン受け部４７６ａとピン受け部４７６ｂとの間に配置する。すなわち、外端固定ピン４７５ａ〜４７５ｆのうちの必要な１つのピンを選択して固定することによって、ひげぜんまい４７４の有効長さを調整することができる。
【００２０】
（１・３）裏輪列の構造：
図５及び図８を参照すると、筒車８０が地板２２の文字板８２のある側に回転可能に組み込まれる。日の裏車９０が地板２２の文字板８２のある側に回転可能に組み込まれる。日の裏車９０の日の裏歯車が筒かな２８に噛み合う。日の裏車９０の日の裏かなが筒車８０に噛み合うように構成されている。
【００２１】
（１・４）自動巻機構の構造：
図４〜図６を参照すると、回転錘１００が一番受３２に回転可能に組み込まれる。回転錘１００はボールベアリング（図示せず）を介して一番受３２に組み込まれる。一番伝え車（図示せず）が回転錘１００のかな（図示せず）に噛み合うように回転可能に組み込まれる。つめレバー（図示せず）が、一番伝え車の偏心カム部分（図示せず）に回転可能に組み込まれる。二番伝え車（図示せず）がつめレバーにつめ部分（図示せず）に係合するように回転可能に組み込まれる。二番伝え車のラチェット歯（図示せず）がつめレバーのつめ部分に係合するように構成されている。回転錘１００の回転に基づいて一番伝え車（図示せず）が回転し、つめレバーの作動に基づいて、二番伝え車は所定の方向にのみ回転するように構成される。二番巻伝え車（図示せず）の回転に基づいて、ぜんまいを巻くように構成されている。
【００２２】
（１・５）切換機構の構造：
図４、図７、図９を参照すると、かんぬき押さえ１４０は弾性変形可能な材料で製造され、例えば、ステンレス鋼で製造されるのが好ましい。かんぬき１３０は弾性変形可能な材料で製造され、例えば、ステンレス鋼で製造されるのが好ましい。かんぬき１３０のばね部分１３２は、直線状の形状、湾曲形状、Ｕ字形状等のいずれの形状であってもよい。かんぬき押さえ１４０の山形部分１４２が、おしどり１２０の位置きめピン１２２に係合して、おしどり１２０の位置を決め、かつ、巻真１１０の切換重さを設定する。本発明の機械式時計では、巻真１１０を１段目、及び、２段目に引き出すことができるように、かんぬき押さえ１４０の山形部分１４２を構成している。かんぬき１３０のばね部分１３２のばね力により、かんぬき１３０の案内谷部１３８が、おしどり１２０の先端部分の側面に押しつけられる。
【００２３】
（１・６）機械式時計の作動：
次に、本発明の機械式時計の作動について説明する。図４〜図６を参照すると、ぜんまい（図示せず）の力により、香箱車３０が回転する。香箱車３０の回転により二番車２４が回転する。二番車２４の回転により三番車３４が回転する。三番車３４の回転により四番車４０が回転する。また、二番車２４の回転により筒かな２８が同時に回転する。筒かな２８の回転により日の裏車９０が回転する。日の裏車９０の回転により筒車８０が回転する。これらの各輪列の回転速度は、てんぷ７０、アンクル６０及びがんぎ車５０の動作により制御される。その結果、四番車４０は１分間に１回転する。筒かな２８及び二番車２４は１時間に１回転する。筒車８０は１２時間に１回転する。
【００２４】
四番車４０に取り付けた秒針４０ｈで「秒」を表示する。筒かな２８に取り付けた分針２８ｈで「分」を表示する。筒車８０に取り付けた時針８０ｈで「時」を表示する。すなわち、四番車４０、筒かな２８及び二番車２４、筒車８０は、時刻情報を表示するための表示車を構成する。時針８０ｈ、分針２８ｈ、秒針４０ｈと、文字板８２の目盛等により、時刻を読み取ることができる。次に、自動巻機構によるぜんまい巻きについて説明する。機械式時計を腕に携帯して腕を前後に振る。回転錘１００の回転に基づいてつめレバーが偏心カムの作動のように作動し、ラチェット歯を有する自動巻伝え車（図示せず）等の回転によりぜんまいを巻くことができる。
【００２５】
次に、切換機構の作動について説明する。図４、図７〜図９を参照すると、通常、機械式時計を腕に携帯しているとき、巻真１１０は０段目にある。次に、カレンダの修正を行うとき、巻真１１０を引き出して１段目にする。このとき、おしどり１２０は回転する。かんぬき１３０は、かんぬきのばね力により回転して、つづみ車１６２の乙歯１６２ｂを第１カレンダ修正伝え車１７０とかみ合わせる。この状態で巻真１１０を回転させると、つづみ車１６２が回転し、第１カレンダ修正伝え車１７０の回転により日車１７２或いは曜車１７４を修正することができる。次に、時刻の修正を行うとき、巻真１１０を更に引き出して２段目にする。このとき、おしどり１２０は更に回転する。かんぬき１３０は、かんぬきのばね力により、上記の回転とは逆方向に回転して、つづみ車１６２の甲歯１６２ａを日の裏車９０とかみ合わせる。この状態で巻真１１０を回転させると、つづみ車１６２が回転し、日の裏車９０の回転により筒かな２８及び筒車８０を回転させて時刻表示を修正することができる。
【００２６】
（２）第２の実施の形態：
次に、本発明の機械式時計の第２の実施の形態を説明する。以下の説明は、本発明の機械式時計の第２の実施形態が本発明の機械式時計の第１の実施形態と異なる点を主に述べる。したがって、以下に記載がない個所は、前述した本発明の機械式時計の第１の実施形態についての説明をここに準用する。
【００２７】
図２及び図３を参照すると、てんぷ７０は、てん真７１と、ひげぜんまい４８４と、振り石７６と、ひげ玉７８と、てん輪７９とを含む。ひげぜんまい４８４の有効長さを定めて、ひげぜんまい４８４の外端部を固定するための複数のひげ外端固定部が、ひげぜんまい４８４の外周部４８４ｇに設けられる。ひげ外端固定部は、ひげぜんまい４８４の外周部４８４ｇに形成された複数の外端固定突状部４８５ａ〜４８５ｆで構成される。それぞれの外端固定突状部４８５ａ〜４８５ｆは、例えば、４５度から９０度の角度の曲げ形状を有するように形成される。それぞれの外端固定突状部４８５ａ〜４８５ｆは、等しい間隔でひげぜんまい４８４の外周部４８４ｇに固定されるのが好ましい。それぞれの外端固定突状部４８５ａ〜４８５ｆは、曲げ加工によって、ひげぜんまい４８４の外周部４８４ｇに形成することができる。
【００２８】
複数の外端固定突状部４８５ａ〜４８５ｆは、ひげぜんまい４８４の外周部４８４ｇにおいて、てん真７１の中心軸線を基準として開角５０度〜１２０度の範囲内に、等しい角度間隔、すなわち、１０度〜２４度の角度間隔をなすように配置されるのが好ましい。この構成により、ひげぜんまい４８４の有効長さを効果的に調整することができる。図２には６個のひげ外端固定部すなわち外端固定突状部４８５ａ〜４８５ｆを図示しているけれども、ひげ外端固定部の個数は、２個〜１２個であるのが好ましい。この構成により、ひげぜんまい４８４の有効長さを広い範囲に調整することができる。ひげ外端固定部の個数は、４個〜８個であるのが一層好ましい。この構成により、ひげぜんまい４８４の外周部４８４ｇと複数のひげ外端固定部４８５ａ〜４８５ｆとの占める領域を大きくすることなしに、ひげぜんまい４８４の有効長さを広い範囲に調整することができる。
【００２９】
外端固定突状部４８５ａ〜４８５ｆを位置決めするためのひげ外端位置決め部が、受部材すなわちてんぷ受７２に設けられる。ひげ外端位置決め部は、ひげ外端受４８６で構成される。ひげ外端受４８６は、フォーク状に形成された２つの外端受け部４８６ａ、４８６ｂと、ベース部４８６ｃと、外端位置決めばね４８７とを含む。外端受け部４８６ａ、４８６ｂは保持用剛体部材を構成する。外端位置決めばね４８７は保持用剛体部材を構成する。外端固定突状部４８５ａ〜４８５ｆのうちの１つの外端固定突状部は、２つの外端受け部４８６ａ、４８６ｂと、外端位置決めばね４８７と接触することができるように配置される。外端固定突状部４８５ａ〜４８５ｆのうちの１つの外端固定突状部は、前記保持用弾性部材と前記保持用剛体部材との間に位置決めされるようになっている。すなわち、外端固定突状部４８５ａ〜４８５ｆのうちの１つの外端固定突状部は、外端受け部４８６ａ、４８６ｂと、外端位置決めばね４８７との間に位置決めされるようになっている。
【００３０】
外端位置決めばね４８７は、位置決め先端部４８７ｃと、ばねアーム部４８７ｄと、取り付け部ｅとを含む。位置決め先端部４８７ｃは、外端固定突状部４８５ａ〜４８５ｆのうちの１つの外端固定突状部を外端受け部４８６ａ、４８６ｂに押し付けることができるように構成される。ばねアーム部４８７ｄは弾性変形可能なように構成される。取り付け部ｅは、打ち込み、接着、はんだ付け、ピン固定などの方法によってベース部４８６ｃに固定される。ひげ外端受４８６は、ポリカーボネートなどのエンジニアリングプラスチックで形成することもできるし、或いは、黄銅、ステンレス鋼などの金属で形成することもできる。外端位置決めばね４８７は、ステンレス鋼などの金属で形成することができる。外端位置決めばね４８７は、曲げ加工によって形成することができる。
【００３１】
例えば、外端位置決めばね４８７の厚さは、０．１ｍｍ〜０．３ｍｍであるのが好ましい。例えば、外端固定突状部４８５ａ〜４８５ｆを配置する間隔は、１ｍｍ〜３ｍｍであるのが好ましい。外端固定突状部４８５ａを外端受け部４８６ａと、外端受け部４８６ａとの間に配置することによって、ひげぜんまい４８４の有効長さが一番短くなるように調整することができる。外端固定突状部４８５ｆを外端受け部４８６ａと、外端受け部４８６ａとの間に配置することによって、ひげぜんまい４８４の有効長さが一番長くなるように調整することができる。この構成により、ひげぜんまい４８４の有効長さを広い範囲にわたって複数の段階に確実に調整することができる。
【産業上の利用可能性】
【００３２】
本発明により、「ひげぜんまい」の外周部の有効長さを容易に複数の段階に調節できるような緩急機構を備えた機械式時計を実現することができる。本発明の機械式時計の緩急機構は、産業ロボットなどを用いて容易に調整することができる。
【図面の簡単な説明】
【００３３】
【図１】本発明の機械式時計の第１の実施形態において、「ひげぜんまい」の概略構造を示す平面図である。
【図２】本発明の機械式時計の第２の実施形態において、「ひげぜんまい」の概略構造を示す平面図である。
【図３】本発明の機械式時計の第２の実施形態において、てんぷ、アンクル、てんぷの部分の概略構造を示す断面図である。
【図４】本発明の機械式時計の第１の実施形態において、明瞭に示すために、自動巻装置、受け部材等を省略して図示した、ムーブメントの表側から見た概略構造を示す平面図である。
【図５】本発明の機械式時計の第１の実施形態において、香箱及び表輪列の部分の概略構造を示す断面図である。
【図６】本発明の機械式時計の第１の実施形態において、てんぷ、アンクル、てんぷの部分の概略構造を示す断面図である。
【図７】本発明の機械式時計の第１の実施形態において、おしどり及びかんぬきの部分の概略構造を示す平面図である。
【図８】本発明の機械式時計の第１の実施形態において、巻真の部分の概略構造を示す断面図である。
【図９】本発明の機械式時計の第１の実施形態において、おしどり及びかんぬきの部分の概略構造を示す断面図である。
【符号の説明】
【００３４】
２０  ムーブメント
２２  地板
２４  二番車
３０  香箱車
３４  三番車
４０  四番車
５０  がんぎ車
６０  アンクル
７０  てんぷ
７１  てん真
７２  てんぷ受
７９  てん輪
４７４  ひげぜんまい
４７５ａ〜４７５ｆ  外端固定ピン
４７６  ひげ外端受
４８４  ひげぜんまい
４８５ａ〜４８５ｆ  外端固定突状部
４８６  ひげ外端受
４８７  外端位置決めばね
【図１】
2006214822.tif 000003
【図２】
2006214822.tif 000004
【図３】
2006214822.tif 000005
【図４】
2006214822.tif 000006
【図５】
2006214822.tif 000007
【図６】
2006214822.tif 000008
【図７】
2006214822.tif 000009
【図８】
2006214822.tif 000010
【図９】
2006214822.tif 000011